(57)【要約】 【課題】商品のデータコードや携帯電話機端末の画面に表示されたクーポン券等のデータコードであっても安定して読み取ること。【解決手段】通常制御モードに設定されていると、予め設定された撮像ブレを少なくするための撮像スピードで撮像装置を撮像制御すると共に照明部を点灯制御し、クーポン制御モードに切り替えられると、予め設定された撮像スピードよりも遅く、携帯電話機端末が透過型の液晶ディスプレイである場合、当該液晶ディスプレイに設けられているバックライトのバックライト光によって照明されている携帯電話機端末の画面上のデータコードの照度に応じて設定される撮像スピードで撮像装置を撮像制御すると共に照明部を消灯制御しかつ携帯電話機端末の画面に表示されるデータコードを撮像した後、再び、通常制御モードに戻る。【選択図】図２
2012099141.tif 000002
【特許請求の範囲】
【請求項１】
少なくともデータコードを撮像してその画像データを取得する撮像装置と、
前記撮像装置により取得された前記画像データから前記データコードを解読するデコーダと、
少なくとも前記データコードを照明する照明部と、
商品に添付されるラベル上に印字されている前記データコードを読み取るための通常制御モード、又は携帯電話機端末の画面に表示される前記データコードを読み取るためのクーポン制御モードに切り替えるもので、通常は前記通常制御モードに設定するモード切替部と、
前記モード切替部により前記通常制御モードに設定されていると、予め設定された撮像ブレを少なくするための撮像スピードで前記撮像装置を撮像制御すると共に前記照明部を点灯制御し、前記クーポン制御モードに切り替えられると、前記予め設定された撮像スピードよりも遅く、前記携帯電話機端末が透過型の液晶ディスプレイである場合、当該液晶ディスプレイに設けられているバックライトのバックライト光によって照明されている前記携帯電話機端末の画面上の前記データコードの照度に応じて設定される撮像スピードで前記撮像装置を撮像制御すると共に前記照明部を消灯制御しかつ前記携帯電話機端末の画面に表示される前記データコードを撮像した後、再び、前記通常制御モードに戻る制御部と、
を具備することを特徴とするデータコード読み取り装置。
【請求項２】
前記ラベル上に印字される前記データコードは、前記商品の少なくとも価格データを含み、
前記携帯電話機端末の画面に表示される前記データコードは、前記商品の少なくとも値引きを含むクーポンのデータを含む、
ことを特徴とする請求項１記載のデータコード読み取り装置。
【請求項３】
少なくとも前記データコードを照明し、当該照明されている少なくとも前記データコードを撮像してその画像データを取得し、この画像データから前記データコードを解読するデータコード読み取り方法において、
商品に添付されるラベル上に印字されている前記データコードを読み取るための通常制御モード、又は携帯電話機端末の画面に表示される前記データコードを読み取るためのクーポン制御モードに切り替えられ、通常は前記通常制御モードに設定され、
前記通常制御モードに設定されていると、予め設定された撮像ブレを少なくするための撮像スピードで前記撮像装置を撮像制御すると共に照明部を点灯制御し、前記クーポン制御モードに切り替えられると、前記予め設定された撮像スピードよりも遅く、前記携帯電話機端末が透過型の液晶ディスプレイである場合、当該液晶ディスプレイに設けられているバックライトのバックライト光によって照明されている前記携帯電話機端末の画面上の前記データコードの照度に応じて設定される撮像スピードで前記撮像装置を撮像制御すると共に前記照明部を消灯制御しかつ前記携帯電話機端末の画面に表示される前記データコードを撮像した後、再び、前記通常制御モードに戻る、
ことを特徴とするデータコード読み取り方法。
【発明の詳細な説明】
【技術分野】
【０００１】
本発明は、例えば商品に表示されたバーコード等のデータコードや商品の値引き等を行うためのクーポン券等のデータコードを読み取るデータコード読取装置及びその方法に関する。
【背景技術】
【０００２】
例えばスーパーマーケットやコンビニエンスストア等の販売店舗においては、商品の販売促進のために、金券であるクーポン券を発行している。このクーポン券は、精算時に回収され、ＰＯＳ（Point of Sales：販売時点管理）端末等において当該クーポン券に記載されている所定の金額を値引くのに使用される。このようなクーポン券は発行店舗や発行チェーンのみで使用できるものが多い。クーポン券の発行は、店舗やチェーンとしてみれば非常に有効な販売促進手法となっている。
一方、通信機能を有するＰＤＡ（Personal Digital Assistants）と称される個人用の携帯用情報端末や携帯電話機が急速に普及している。これら携帯用情報端末や携帯電話は、ブラウジング機能などのインターネットに対する操作のための特殊な機能を搭載し、無線又は有線によりインターネットへの接続が可能であり、さまざまなサービスの提供を受けることを可能にしている。  
例えば、携帯電話機等に提供されるサービスとしては、例えば特許文献１がある。この特許文献１は、クーポン券を表すデータコード等の電子データを携帯電話機端末に配信して当該携帯電話機端末の画面に表示させて提示し、この携帯電話機端末の画面に表示されるクーポン券のデータコードをＰＯＳ端末に接続されているスキャナにより読み取り、この読み取ったクーポン券のデータコードによって販売商品の精算金額から値引き処理を行うことを開示する。
ところで、例えばスーパーマーケットやコンビニエンスストア等の販売店舗における商品精算のコーナには、電子キャッシュレジスタ等のＰＯＳ端末を備えた商品販売データ処理システム（ＰＯＳシステム）が設置されている。又、商品には、当該商品の価格等を示すバーコード等のデータコードが印字されたラベル等が貼り付けられている。ＰＯＳ端末には、商品に貼り付けられているラベル等に印刷されているデータコード（以下、商品のデータコードと省略する）を読み取るための撮像部が設けられている。
商品の精算業務を行うときには、商品精算のコーナに設けられているレーン上の上流側に買物かごが置かれる。この買物かご内には、買物客が購入しようとする例えば複数の商品が入れられている。キャッシャは、買物かご内から商品を一品ずつ取り出し、これら商品のデータコードをそれぞれ撮像部に向けて読み取らせ、商品毎に商品登録を行う。これら商品の登録が終了すると、キャッシャは、当該商品登録を行った商品を順次レーン上の下流側に置かれた別の買物かごに入れる。
【先行技術文献】
【特許文献】
【０００３】
【特許文献１】特開２００２−２６０１００号公報（特許登録第３７７３１６７号）
【発明の概要】
【発明が解決しようとする課題】
【０００４】
商品のデータコードを撮像部に向けて読み取らせて商品登録を行うとき、キャッシャは、商品を買物かご内から取り出して撮像部に向け、商品のデータコードの読み取りを確認して別の買物かご内に入れるという動作を行うので、ＰＯＳ端末の撮像部は、当該撮像部の前方に移動する商品のデータコードを撮像するものとなる。このため、撮像部は、撮像ブレを少なくするために、シャッタースピードを例えば５０００分の１秒程度のなるべく早い適正なシャッタースピードにすることが望ましい。
【０００５】
しかしながら、撮像部のシャッタースピードを早くすると、取得される画像データの明るさが不足するので、これを補うために当該撮像部には、バックライト方式の照明装置が備えられる。この照明装置としては、例えばＬＥＤ等を用いることが一般的になっている。しかるに、携帯電話機端末の画面に例えばクーポン券のデータコードを表示し、このクーポン券のデータコードを読み取って値引き処理を行う場合も、撮像部の照明装置により照明を行って撮像部によりクーポン券のデータコードを撮像する。
【０００６】
しかしながら、携帯電話機端末の画面に表示されているクーポン券のデータコードを撮像するとき、上記商品のデータコードを読み取るのと同様に、ＬＥＤ等の照明装置により照明を行い、かつなるべく早い適正なシャッタースピードで撮像を行うと、例えば図６に示すように携帯電話機端末１の画面２上に点灯したＬＥＤ等の照明装置の影３が映り、ＱＲコード（登録商標）４等のデータコードを読み取ることができなくなる。
【０００７】
携帯電話機端末１の画面２が例えば透過型の液晶ディスプレイである場合には、同液晶ディスプレイにバックライトが設けられている。液晶ディスプレイは、偏向フィルムとガラス基板とを有しているので、バックライト光は、偏向フィルム及びガラス基板を透過する。これにより、液晶ディスプレイ画面２上にＱＲコード４等のデータコードの画像が認識できるものとなる。一方、液晶ディスプレイに当たる外部光が明るすぎると、液晶ディスプレイのバックライトと外部光とが衝突し合って液晶ディスプレイ画面２上のデータコード４が視覚的に見えにくくなる。又、ＬＥＤ等の照明装置からの照明光が液晶ディスプレイのガラス基板で鏡面反射して液晶ディスプレイ画面２上のデータコード４が視覚的に見えにくくなる。
【０００８】
本発明の目的は、商品のデータコードや携帯電話機端末の画面に表示されたクーポン券等のデータコードであっても安定して読み取ることができるデータコード読取装置及びその方法を提供することにある。
【課題を解決するための手段】
【０００９】
本発明の主要な局面に係るデータコード読み取り装置は、少なくともデータコードを撮像してその画像データを取得する撮像装置と、撮像装置により取得された画像データからデータコードを解読するデコーダと、少なくともデータコードを照明する照明部と、商品に添付されるラベル上に印字されているデータコードを読み取るための通常制御モード、又は携帯電話機端末の画面に表示されるデータコードを読み取るためのクーポン制御モードに切り替えるもので、通常は通常制御モードに設定するモード切替部と、モード切替部により通常制御モードに設定されていると、予め設定された撮像ブレを少なくするための撮像スピードで撮像装置を撮像制御すると共に照明部を点灯制御し、クーポン制御モードに切り替えられると、予め設定された撮像スピードよりも遅く、携帯電話機端末が透過型の液晶ディスプレイである場合、当該液晶ディスプレイに設けられているバックライトのバックライト光によって照明されている携帯電話機端末の画面上のデータコードの照度に応じて設定される撮像スピードで撮像装置を撮像制御すると共に照明部を消灯制御しかつ携帯電話機端末の画面に表示されるデータコードを撮像した後、再び、通常制御モードに戻る制御部とを具備する。
【００１０】
本発明の主要な局面に係るデータコード読み取り方法は、少なくともデータコードを照明し、当該照明されている少なくともデータコードを撮像してその画像データを取得し、この画像データからデータコードを解読するデータコード読み取り方法において、商品に添付されるラベル上に印字されているデータコードを読み取るための通常制御モード、又は携帯電話機端末の画面に表示されるデータコードを読み取るためのクーポン制御モードに切り替えられ、通常は通常制御モードに設定され、通常制御モードに設定されていると、予め設定された撮像ブレを少なくするための撮像スピードで撮像装置を撮像制御すると共に照明部を点灯制御し、クーポン制御モードに切り替えられると、予め設定された撮像スピードよりも遅く、携帯電話機端末が透過型の液晶ディスプレイである場合、当該液晶ディスプレイに設けられているバックライトのバックライト光によって照明されている携帯電話機端末の画面上のデータコードの照度に応じて設定される撮像スピードで撮像装置を撮像制御すると共に照明部を消灯制御しかつ携帯電話機端末の画面に表示されるデータコードを撮像した後、再び、通常制御モードに戻る。
【発明の効果】
【００１１】
本発明によれば、商品のデータコードや携帯電話機端末の画面に表示されたクーポン券等のデータコードであっても安定して読み取ることができるデータコード読取装置及びその方法を提供できる。
【図面の簡単な説明】
【００１２】
【図１】本発明に係るデータコード読取装置を用いたＰＯＳシステムの一実施の形態の全体構成を示す斜視図。
【図２】同装置をＰＯＳ端末と一体化して示す構成図。
【図３】同装置のＣＣＤイメージセンサにより撮像される商品のバーコードを示す図。
【図４】同装置のＣＣＤイメージセンサにより撮像される携帯電話機端末の画面に表示されるＱＲコードを示す図。
【図５】同装置におけるＰＯＳターミナル部の動作フローチャート。
【図６】携帯電話機端末の画面上に映ったＬＥＤ等の照明装置の影を示す図。
【発明を実施するための形態】
【００１３】
以下、本発明の一実施の形態について図面を参照して説明する。  
図１はデータコード読取装置を用いたＰＯＳシステムの全体構成の斜視図を示す。サッカー台１０上の中央部には、スキャナであるデータコード読取装置１１が立設されている。又、サッカー台１０の内側には、ＰＯＳシステムを構成する電子キャッシュレジスタから成るＰＯＳ端末１２が設置されている。これらデータコード読取装置１１とＰＯＳ端末１２とは、図示しない伝送路によって相互通信可能に接続されている。なお、データコード読取装置１１とＰＯＳ端末１２とによりＰＯＳターミナル部を構成する。
【００１４】
ＰＯＳ端末１２には、キーボード１３と、キャッシャ用の表示器１４と、買物客用の表示器１５と、レシート印字等を行うプリンタ１６等とが設けられている。キーボード１３には、商品代金の決済に必要な締めキー等が配設されている。このようなＰＯＳ端末１２は、この種のチェックアウトレーンシステムで標準的に使用されている。  
データコード読取装置１１には、商品等に付されたバーコードやＱＲコード等のデータコードを読み取るための撮像装置１７と、バーコードやＱＲコード等で登録不能な商品の登録を行うための各種キー等が配設されたキーボード１８と、買物客に対して登録された商品の品名，価格等を表示するためのディスプレイ１９等とが設けられている。このうち撮像装置１７は、例えばＣＣＤ（Charge Coupled Device）イメージセンサを内蔵する。以下、ＣＣＤイメージセンサ１７と称する。このＣＣＤイメージセンサ１７は、ＬＥＤ等から成る照明装置２０を備える。この照明装置２０は、ＣＣＤイメージセンサ１７の撮像領域をカバーするように照明光を照射する。
【００１５】
なお、サッカー台１０上のデータコード読取装置１１よりも上流側には、買物客が購入しようとする例えば複数の商品２１が入れられた買物かご２２が置かれる。又、サッカー台１０上のデータコード読取装置１１よりも下流側には、商品登録が行われた商品２１を入れるための別の買物かご２３が置かれている。
【００１６】
ＰＯＳ端末１２には、例えば店舗内のローカル・エリア・ネットワーク（ＬＡＮ）２４を介してＰＯＳ処理装置としてのＰＯＳサーバ２５が接続されている。このＰＯＳサーバ２５は、ＰＯＳ端末１２との間で商品２１の精算処理に関する情報の授受及び商品２１の精算処理結果の記録を行う。このＰＯＳサーバ２５は、例えば店舗で販売する全ての商品２１の価格や商品名等のデータ、さらには値引き等のクーポンのデータを予め格納する商品データベースを有する。このＰＯＳサーバ２５は、ＰＯＳ端末１２からＬＡＮ２４を介して送信されてくるデータコードを商品データベースに照会し、当該データコードに対応する商品２１の価格や商品名等のデータを読み出し、全ての商品２１の各価格を合計して精算額データを求め、この精算額データをＬＡＮ２４を介してＰＯＳ端末１２に返信する。又、ＰＯＳサーバ２５は、ＰＯＳ端末１２からＬＡＮ２４を介して送信されてくるクーポンのデータコードを商品データベースに照会し、当該クーポンのデータコードに対応する商品２１の値引き値を読み出し、この値引き値を加味した処理を行って精算額データを求め、この精算額データをＬＡＮ２４を介してＰＯＳ端末１２に返信する。
【００１７】
図２はデータコード読取装置１１及びＰＯＳ端末１２を一体化した構成図を示す。制御部３０は、ＣＰＵやＲＯＭ、ＲＡＭ等から成る。この制御部３０は、ＣＰＵがＲＯＭに格納されているプログラムを実行することによりデータコード読取装置１１及びＰＯＳ端末１２を動作制御する。この制御部３０には、ＣＣＤイメージセンサ１７と、照明装置２０を点灯する照明駆動回路３１と、モード切替部３２と、インタフェース３３とが接続されている。
【００１８】
ＣＣＤイメージセンサ１７の前面側には、レンズ３４が設けられている。このＣＣＤイメージセンサ１７は、レンズ３４を通して例えば図３に示すような商品２１に貼り付けられているラベル３５上に印字されているバーコード３６、又は図４に示すような携帯電話機端末の画面２に表示されるＱＲコード４を撮像し、その画像データを出力する。なお、商品２１に貼り付けられているラベル３５上のバーコード３６をデータコードの第１の表記形態とし、携帯電話機端末の画面２に表示されるＱＲコード４をデータコードの第２の表記形態とする。このうち商品２１に貼り付けられているラベル３５上のバーコード３６は、例えば商品２１の価格等の情報を含む。携帯電話機端末の画面２に表示されるＱＲコード４は、例えば商品２１の値引き値等のクーポン券の情報を含む。
【００１９】
デコーダ３７は、ＣＣＤイメージセンサ１７から出力される画像データを入力し、この画像データからバーコード３６又はＱＲコード４を解読する。  
照明装置２０は、例えばＬＥＤから成る。この照明装置２０は、照明駆動回路３１によって点灯又は消灯する。又、照明装置２０は、照明駆動回路３１によってＬＥＤを点灯する強度を可変可能である。  
インタフェース３３には、ＬＡＮ２４を介してＰＯＳサーバ２５が接続されている。
【００２０】
モード切替部３２は、データコードの表記形態、すなわちデータコードが商品２１に貼り付けられているラベル３５上のバーコード３６を読み取るための通常制御モード、又は携帯電話機端末の画面２に表示されるＱＲコード４を読み取るためのクーポン制御モードに切り替える。例えばモード切替部３２は、通常、商品２１のバーコード３６を読み取るための通常制御モードに設定されており、この通常制御モードの設定状態で、キャッシャ等の手動操作を受けると、携帯電話機端末の画面２に表示されるＱＲコード４を読み取るクーポン制御モードに切り替える。このモード切替部３２は、キャッシャ等の手動操作を受ける例えばモード切替スイッチ等を備える。
【００２１】
制御部３０は、例えばモード切替部３２に設定されている通常制御モード又はクーポン制御モードに応じてＣＣＤイメージセンサ１７の撮像スピードと照明装置２０の点灯・消灯とを動作制御する。具体的に制御部３０は、通常制御モードであれば、商品２１に貼り付けられているラベル３５上のバーコード３６を読み取るために、予め設定された撮像スピード、例えば撮像ブレを少なくするために例えば５０００分の１秒程度のなるべく早い適正なシャッタースピードでＣＣＤイメージセンサ１７を撮像制御すると共に、照明装置２０を点灯する。
【００２２】
又、制御部３０は、携帯電話機端末の画面２に表示されるＱＲコード４であれば、予め設定された撮像スピード例えば５０００分の１秒よりも遅い撮像スピードでＣＣＤイメージセンサ１７を撮像制御すると共に、照明装置２０を消灯する。このときのＣＣＤイメージセンサ１７の撮像スピードは、例えば、携帯電話機端末１の画面２が透過型の液晶ディスプレイである場合、同液晶ディスプレイにバックライトが設けられているので、このバックライト光によって照明されている携帯電話機端末の画面２上のＱＲコード４の照度に応じて設定される。
【００２３】
又、制御部３０は、モード切替部３２によりクーポン制御モードに切り替えられると、ＣＣＤイメージセンサ１７を予め設定された撮像スピードよりも遅い撮像スピードでＣＣＤイメージセンサ１７を撮像制御すると共に照明装置２０を消灯制御し、このクーポン制御モードによるＣＣＤイメージセンサ１７と照明装置２０とに対する制御が終了すると、再び、通常制御モードに戻る。
【００２４】
次に、上記の如く構成されたＰＯＳシステムの動作について図５に示すＰＯＳターミナル部の動作フローチャートに従って説明する。  
モード切替部３２は、通常、商品２１のバーコード３６を読み取るための通常制御モードに設定されている。  
制御部３０は、ステップ＃１において、モード切替部３２が通常制御モード又はクーポン制御モードのいずれかに設定されているのかを判断する。モード切替部３２は、通常、通常制御モードに設定されているので、制御部３０は、ステップ＃２に移り、商品２１に貼り付けられているラベル３５上のバーコード３６を読み取るためスキャンを行う。すなわち、制御部３０は、予め設定された撮像スピード、例えば撮像ブレを少なくするために例えば５０００分の１秒程度のなるべく早い適正なシャッタースピードでＣＣＤイメージセンサ１７を撮像制御する。これと共に、制御部３０は、照明装置２０を点灯する。これにより、ＣＣＤイメージセンサ１７は、照明装置２０が点灯している状態で、例えば５０００分の１秒程度のなるべく早い適正なシャッタースピードで撮像を行う。
【００２５】
このとき、キャッシャは、図３に示すような商品２１のバーコード３６をＣＣＤイメージセンサ１７に向けて読み取らせて商品登録を行うために、商品２１を買物かご２２内から取り出してＣＣＤイメージセンサ１７に向け、商品２１のバーコード３６の読み取りを確認して別の買物かご２３内に入れる。  
しかるに、ＣＣＤイメージセンサ１７は、レンズ３４を通して例えば図３に示すような商品２１のバーコード３６を撮像し、その画像データを出力する。デコーダ３７は、ステップ＃３において、ＣＣＤイメージセンサ１７から出力される画像データを入力し、この画像データからバーコード３６を解読する。そして、制御部３０は、ステップ＃４において、デコーダ３７によって解読された商品２１のバーコード３６の情報をインタフェース３３からＬＡＮ２４を介してＰＯＳサーバ２５に送信する。
【００２６】
このＰＯＳサーバ２５は、ＰＯＳ端末１２からＬＡＮ２４を介して送信されてくる商品２１のバーコード３６の情報を商品データベースに照会し、当該データコードに対応する商品２１の価格や商品名等のデータを読み出し、ＬＡＮ２４を介してＰＯＳ端末１２に返信する。
【００２７】
次に、制御部３０は、ステップ＃５において、ＰＯＳ端末１２に返信された商品２１の価格や商品名等のデータをインタフェース３３を介して受け取って登録すると共に、商品２１の価格や商品名等のデータをＰＯＳ端末１２におけるキャッシャ用の表示器１４と買物客用の表示器１５とに表示する。  
次に、制御部３０は、ステップ＃６において、ＰＯＳ端末１２におけるキーボード１３中の締めキーが押し操作されたか否かを判断する。この判断結果、締めキーが押し操作されていなければ、制御部３０は、再び、ステップ＃１に戻り、モード切替部３２が通常制御モード又はクーポン制御モードのいずれかに設定されているのかを判断する。又、締めキーが押し操作されると、制御部３０は、ステップ＃７に移り、例えば登録した少なくとも１つの商品２１の精算処理を行って商品２１の買上げの合計金額等を求め、当該商品２１の買上げの合計金額等をプリンタ１６によってレシートに印字出力する。
【００２８】
一方、買物客が例えば図４に示すような携帯電話機端末１の画面２に表示されるＱＲコード４を提示すると、キャッシャは、モード切替部３２に備えられている例えばモード切替スイッチ等を手動操作し、通常制御モードからクーポン制御モードに切り替える。  
制御部３０は、上記ステップ＃１において、モード切替部３２がクーポン制御モードに切り替えられたことを判断するので、ステップ＃８に移り、携帯電話機端末の画面２に表示されるＱＲコード４を読み取るためスキャンを行う。すなわち、制御部３０は、予め設定された撮像スピード例えば５０００分の１秒よりも遅い撮像スピードでＣＣＤイメージセンサ１７を撮像制御する。これと共に、制御部３０は、照明装置２０を消灯する。これにより、ＣＣＤイメージセンサ１７は、照明装置２０が消灯している状態で、例えば５０００分の１秒よりも遅い撮像スピードで撮像を行う。
【００２９】
このとき、例えば買物客は、例えば図４に示すような携帯電話機端末１の画面２に表示されるＱＲコード４をＣＣＤイメージセンサ１７に向ける。しかるに、ＣＣＤイメージセンサ１７は、ステップ＃９において、レンズ３４を通して携帯電話機端末１の画面２に表示されるＱＲコード４を撮像し、その画像データを出力する。  
次に、デコーダ３７は、ステップ＃１０において、ＣＣＤイメージセンサ１７から出力される画像データを入力し、この画像データからＱＲコード４を解読する。そして、制御部３０は、ステップ＃１１において、デコーダ３７によって解読されたＱＲコード４の情報をインタフェース３３からＬＡＮ２４を介してＰＯＳサーバ２５に送信する。  
このＰＯＳサーバ２５は、ＰＯＳ端末１２からＬＡＮ２４を介して送信されてくるＱＲコード４の情報を商品データベースに照会し、当該データコードに対応する商品２１の例えば値引き値のデータを読み出し、ＬＡＮ２４を介してＰＯＳ端末１２に返信する。
【００３０】
次に、制御部３０は、ステップ＃１２において、ＰＯＳ端末１２に返信された商品２１の例えば値引き値のデータをインタフェース３３を介して受け取り、次のステップ＃１３において、商品２１の価格の値引き処理を行う。なお、商品２１の価格の値引き処理は、当該携帯電話機端末１の画面２に表示されるＱＲコード４を読み取った直前に読み取った商品２１のバーコード３６に含まれる価格に対して行うように設定してもよいし、又は当該携帯電話機端末１の画面２に表示されるＱＲコード４を読み取った直後に読み取った商品２１のバーコード３６に含まれる価格に対して行うように設定してもよい。制御部３０は、値引き処理を行った商品２１の価格をＰＯＳ端末１２におけるキャッシャ用の表示器１４と買物客用の表示器１５とに表示する。
【００３１】
次に、制御部３０は、商品２１の値引き処理が終了すると、ステップ＃１４において、再び、通常制御モードに戻す。これにより、モード切替部３２は、通常、商品２１のバーコード３６を読み取るための通常制御モードに戻る。なお、通常制御モードに戻るのは、照明装置２０を消灯した状態で、ＣＣＤイメージセンサ１７によりレンズ３４を通して携帯電話機端末１の画面２に表示されるＱＲコード４を撮像した後であれば、如何なるタイミングでもよい。
【００３２】
このように上記一実施の形態によれば、通常制御モードであれば、商品２１のバーコード３６を読み取るために予め設定された撮像スピード、例えば撮像ブレを少なくするために例えば５０００分の１秒程度のなるべく早い適正なシャッタースピードでＣＣＤイメージセンサ１７を撮像制御すると共に、照明装置２０を点灯し、かつ携帯電話機端末の画面２に表示されるクーポン券等のＱＲコード４であれば、予め設定された撮像スピード例えば５０００分の１秒よりも遅い撮像スピードでＣＣＤイメージセンサ１７を撮像制御すると共に、照明装置２０を消灯する。
【００３３】
これにより、携帯電話機端末１の画面２が例えば透過型の液晶ディスプレイである場合、同液晶ディスプレイにバックライトが設けられているが、このバックライトと外部光とが衝突し合って液晶ディスプレイ画面２上のＱＲコード４が視覚的に見えにくくなるようなことが全くなくなる。すなわち、例えば図６に示すように携帯電話機端末１の画面２上に点灯したＬＥＤ等の照明装置２０の影３が映ることが全くなく、かつ最適な撮像スピードで携帯電話機端末１の画面２上に表示されているＱＲコード４等のデータコードを読み取ることができる。従って、商品２１の価格等を含むバーコード３６や携帯電話機端末１の画面２上に表示されたクーポン券等のＱＲコード４であっても安定して読み取ることができる。
【００３４】
クーポン制御モードによるＣＣＤイメージセンサ１７と照明装置２０とに対する制御が終了すると、再び、通常制御モードに自動的に戻るので、キャッシャに対して通常制御モードに戻す操作の手間を省け、操作を容易にできる。  
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
上記一実施の形態では、商品２１に貼り付けられているラベル３５上のバーコード３６をデータコードの第１の表記形態とし、携帯電話機端末の画面２に表示されるＱＲコード４をデータコードの第２の表記形態としているが、これに限らず、他の表示形態のデータコードを読み取るようにしてもよい。
【００３５】
又、第２の表記形態は、ＱＲコード４に限らず、バーコード３６であってもよく、この場合、ＱＲコード４又はバーコード３６は、粗品等の贈呈や年齢制限での割り引きサービス、各種イベントのチケットの購入等の情報を含んでもよい。さらに、第２の表記形態は、携帯電話機端末の画面２に表示される情報に限らず、例えば携帯型のバックライト付きの液晶ディスプレイに表示される情報の読み取りであれば適用できる。
【符号の説明】
【００３６】
１：携帯電話機端末、２：携帯電話機端末の画面、４：ＱＲコード、１０：サッカー台、１１：データコード読取装置、１２：ＰＯＳ端末、１３：キーボード、１４：キャッシャ用の表示器、１５：買物客用の表示器、１６：プリンタ、１７：撮像装置（ＣＣＤイメージセンサ）、１８：キーボード、１９：ディスプレイ、２０：照明装置、２１：商品、２２，２３：買物かご、２４：ローカル・エリア・ネットワーク（ＬＡＮ）、２５：ＰＯＳサーバ、３０：制御部、３１：照明駆動回路、３２：モード切替部、３３：インタフェース、３４：レンズ、３５：ラベル、３６：バーコード、３７：デコーダ。
【図１】
2012099141.tif 000003
【図２】
2012099141.tif 000004
【図３】
2012099141.tif 000005
【図４】
2012099141.tif 000006
【図５】
2012099141.tif 000007
【図６】
2012099141.tif 000008
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
データコードを撮像して画像データを取得する撮像装置と、
前記データコードを照明する照明部と、
商品に記載された前記データコードを撮像するための第１の撮像モードと、携帯端末の画面に表示された前記データコードを撮像するための第２の撮像モードとを切り替え、通常は前記第１の撮像モードに設定され、手動操作により前記第２の撮像モードに切り替えるモード切替部と、
を具備することを特徴とするデータコード読み取り装置。
【請求項２】
前記モード切替部は、手動操作により前記切り替えの指示を受けるモード切替スイッチを備えることを特徴とする請求項１記載のデータコード読み取り装置。
【請求項３】
前記第１の撮像モードに設定されていると、前記照明部を点灯すると共に前記撮像装置を予め設定された第１の撮像スピードで撮像制御し、前記第２の撮像モードに設定されると、前記照明部を消灯すると共に前記撮像装置を予め設定された第２の撮像スピードで撮像制御し、当該撮像装置による撮像終了の後、前記第１の撮像モードに戻る制御部を備えることを特徴とする請求項１又は２記載のデータコード読み取り装置。
【請求項４】
データコードを照明部により照明し、当該照明されている前記データコードを撮像装置により撮像してその画像データを取得し、前記画像データから前記データコードを解読するデータコード読み取り方法において、
商品に記載された前記データコードを読み取るための第１の撮像モードと、携帯端末の画面に表示された前記データコードを読み取るための第２の撮像モードとを有し、通常は前記第１の撮像モードに設定され、手動操作による切り替えの指示を受けて前記第２の撮像モードに切り替える、
ことを特徴とするデータコード読み取り方法。
【請求項５】
前記第１の撮像モードから前記第２の撮像モードへの切替は、手動操作されるモード切替スイッチからの前記切り替えの指示を受けて行われることを特徴とする請求項４記載のデータコード読み取り方法。
【請求項６】
前記第１の撮像モードに設定されると、前記照明部を点灯すると共に前記撮像装置を予め設定された第１の撮像スピードで撮像制御し、
前記手動操作による切り替えの指示を受けて前記第２の撮像モードに切り替えられると、前記照明部を消灯すると共に前記撮像装置を予め設定された第２の撮像スピードで撮像制御し、当該撮像装置による撮像終了の後、前記第１の撮像モードに戻る、
ことを特徴とする請求項４又は５記載のデータコード読み取り方法。
【手続補正２】
【補正対象書類名】明細書
【補正対象項目名】０００５
【補正方法】変更
【補正の内容】
【０００５】
本発明の主要な局面に係るデータコード読み取り装置は、データコードを撮像して画像データを取得する撮像装置と、データコードを照明する照明部と、商品に記載されたデータコードを撮像するための第１の撮像モードと、携帯端末の画面に表示されたデータコードを撮像するための第２の撮像モードとを切り替え、通常は第１の撮像モードに設定され、手動操作により第２の撮像モードに切り替えるモード切替部とを具備する。
【手続補正３】
【補正対象書類名】明細書
【補正対象項目名】０００６
【補正方法】変更
【補正の内容】
【０００６】
本発明の主要な局面に係るデータコード読み取り方法は、データコードを照明部により照明し、当該照明されているデータコードを撮像装置により撮像してその画像データを取得し、画像データからデータコードを解読するデータコード読み取り方法において、商品に記載されたデータコードを読み取るための第１の撮像モードと、携帯端末の画面に表示されたデータコードを読み取るための第２の撮像モードとを有し、通常は第１の撮像モードに設定され、手動操作による切り替えの指示を受けて第２の撮像モードに切り替える。